(57)【要約】【課題】ビン詰めされた飲料を自由に交換して販売することができる飲料自動販売機を提供する。【解決手段】複数のビン詰めされた飲料のそれぞれに対応する複数のカップ受けのうち、選択されたビン詰めされた飲料に対応するカップ受けに置かれたカップに、選択されたビンに接続された飲料供給配管１１から飲料を注入する飲料自動販売機において、前記各ビン内に窒素ガスを送り込む窒素ガスボンベ８に接続された窒素ガス分配配管９及び電磁開閉弁１２を備えた飲料供給配管１１が密閉状態で挿入され、各カップ受けに対応して設けられた注入用スイッチのうち、選択された注入用スイッチのＯＮ信号が入力されて、選択されたビンに接続された飲料供給配管１１の電磁開閉弁１２を開閉させ、選択されたビン詰めされた飲料の供給と供給停止を制御する制御装置を備える。【選択図】図２
0003126202.tif 000002
【実用新案登録請求の範囲】
【請求項１】
複数のビン詰めされた飲料のそれぞれに対応する複数のカップ受けのうち、選択されたビン詰めされた飲料に対応するカップ受けに置かれたカップに、選択されたビンに接続された飲料供給配管から飲料を注入する飲料自動販売機において、
前記各ビン内に窒素ガスを送り込む窒素ガスボンベに接続された窒素ガス分配配管及び電磁開閉弁を備えた飲料供給配管が密閉状態で挿入され、
各カップ受けに対応して設けられた注入用スイッチのうち、選択された注入用スイッチのＯＮ信号が入力されて、選択されたビンに接続された飲料供給配管の電磁開閉弁を開閉させ、選択されたビン詰めされた飲料の供給と供給停止を制御する制御装置を備えたことを特徴とする飲料自動販売機。
【請求項２】
窒素ガスボンベ及びビンを飲料自動販売機内に収納したことを特徴とする請求項１記載の飲料自動販売機。
【請求項３】
窒素ガスボンベ及びビンを飲料自動販売機の外側に配置して窒素ガス分配配管及び飲料供給配管を接続したことを特徴とする請求項１記載の飲料自動販売機。
【請求項４】
制御装置が、注入用スイッチのＯＮ信号が入力されると電磁開閉弁を開弁し、タイマーで時間を計測し、設定時間後に閉弁信号を発して電磁開閉弁を閉弁する制御を行う制御装置であることを特徴とする請求項１〜３のいずれか１項に記載の飲料自動販売機。
【請求項５】
制御装置が、注入用スイッチのＯＮ信号が入力されると電磁開閉弁を開弁し、タイマーで時間を計測し、設定時間内で、注入用スイッチのＯＮ−ＯＦＦ信号が入力されて電磁開閉弁の開閉によりカップへの注入量を調整する制御を行う制御装置であることを特徴とする請求項４記載の飲料自動販売機。
【考案の詳細な説明】
【技術分野】
【０００１】
本考案は、各種の焼酎や日本酒などの飲料の中から選択された飲料をカップに注入して販売することができる飲料自動販売機に関する。
【背景技術】
【０００２】
コーラなどの清涼飲料水、コーヒーなどの飲料を自動販売するために飲料自動販売機が利用されている。
【０００３】
例えば、特許文献１に記載された飲料自動販売機は、コーラ等の炭酸飲料を販売するカップ式飲料自動販売器における飲料の供給は、炭酸水やシロップ等が貯溜されたタンクに炭酸ガスボンベからのガスを圧入することによりタンク内の原料液を供給カップに圧送する方式を採っている。
【０００４】
また、特許文献２には、シロップタンク内のシロップには、炭酸ガス ボンベからの炭酸ガス圧力が加圧され、シロップタンクからの送り出しが可能となっている。そして、シロップタンクから押し出されるシロップは、注出ノズルより、カップへ供給される。
【特許文献１】実用新案登録２５４５６４７号公報
【特許文献２】特開平１１−２３２５４８号公報
【考案の開示】
【考案が解決しようとする課題】
【０００５】
従来の飲料自動販売機は、銘柄が決まったコーヒーや清涼飲料水に限定されており、銘柄がきわめて多く、ビン詰めされた焼酎や日本酒などの飲料を直接、また自由に交換して販売することができなかった。
【０００６】
また、飲料を注入するカップ受けが一箇所であるため、複数種類の飲料を選択する場合は、供給ラインが複雑であった。
【０００７】
そこで、本考案は、ビン詰めされた飲料を自由に交換して販売することができる飲料自動販売機を提供するものである。
【課題を解決するための手段】
【０００８】
本考案は、複数のビン詰めされた飲料のそれぞれに対応する複数のカップ受けのうち、選択されたビン詰めされた飲料に対応するカップ受けに置かれたカップに、選択されたビンに接続された飲料供給配管から飲料を注入する飲料自動販売機において、前記各ビン内に窒素ガスを送り込む窒素ガスボンベに接続された窒素ガス分配配管及び電磁開閉弁を備えた飲料供給配管が密閉状態で挿入され、各カップ受けに対応して設けられた注入用スイッチのうち、選択された注入用スイッチのＯＮ信号が入力されて、選択されたビンに接続された飲料供給配管の電磁開閉弁を開閉させ、選択されたビン詰めされた飲料の供給と供給停止を制御する制御装置を備えたことを特徴とする。
【考案の効果】
【０００９】
本考案は、銘柄に限定されることなく飲料が詰められたビンを自由に交換して自動販売することができる。
【考案を実施するための最良の形態】
【００１０】
本考案の実施例について図面を参照しながら説明する。
【実施例】
【００１１】
図１は本考案の飲料自動販売機の正面図である。図１において、例えば、横に４個、縦に４個の合計１６個のカップ受け１が配置される。各カップ受け１には、Ａ−１・・・Ｄ−４の番地が付される。
【００１２】
各カップ受けには片開きの扉２が設けられ、それぞれの扉の表面には、飲料の銘柄、値段、産地、特徴などが表示される。各扉２の周囲の適当な位置には、カップへの飲料の注入を指示する注入用スイッチ３が配置される。
【００１３】
飲料自動販売機の正面の左側には、重ねられて収納されているカップ４を取り出すカップ取出口５が設けられる。また、お金の投入口６及び釣り銭取出口７が設けられる。
【００１４】
図２は本考案の飲料自動販売機の飲料供給系統図である。図２において、窒素ガスボンベ８の窒素ガス（Ｎ２）には窒素ガス分配配管９が接続され、飲料を詰めたビン１０内へ挿入されている。窒素ガス分配配管９には、窒素ガス９の供給をオン・オフするための電磁開閉弁９ａが設けられている。窒素ガスボンベ８及びビン１０は飲料自動販売機の正面を開けて収納する。あるいは、飲料自動販売機の外側に配置して窒素ガス分配配管９及び飲料供給配管１１を接続してもよい。
【００１５】
ビン１０には、飲料供給配管１１の先端がビン１０の底に達するまで挿入され、他端がカップ受け１の注入口に接続される。それぞれの飲料供給配管１１には、供給する飲料の開閉を行う電磁開閉弁１２が設けられている。窒素ガス分配配管９及び飲料供給配管１１を挿入後は、窒素ガスが漏れないように窒素ガス分配配管９及び飲料供給配管１１が貫通している栓をして密閉する。
【００１６】
電磁開閉弁１２の開閉は制御装置１３で制御する。開弁は注入用スイッチ３のＯＮ信号を制御装置１３に入力し、タイマーで時間を計測し、設定時間後に閉弁信号を発して供給を停止する制御を行う。設定時間内で、注入用スイッチ３をＯＮ−ＯＦＦしてカップ４への注入量を調整できるようにしてもよい。
【００１７】
次に、本発明の自動販売機の使用方法について説明する。例えば、各種の銘柄の焼酎が詰められたビン１０を選んで自動販売機内に収納し、開封後、窒素ガスボンベ８に接続された窒素ガス分配配管９及び飲料供給配管１１を挿入後、ビン１０に栓をして密閉する。このとき、飲料供給配管１１の電磁開閉弁１２はすべて閉の状態になり、すべてのビン１０内は窒素ガス分配配管９の電磁開閉弁が開の状態で窒素ガスで加圧された状態となっている。こうして自動販売機の準備が完了する。
【００１８】
焼酎の購入者は、カップ取出口５からカップ４を取り出し、選択した銘柄が表示されている、扉２、例えばＡ−１の扉を開け、カップ受け１にカップ４を置く。次いで、扉２に表示されている値段の金額をお金の投入口６に投入する。
【００１９】
お金を投入後、Ａ−１のカップ受け１の注入用スイッチ３をＯＮすると、ＯＮ信号が制御装置１３に入力される。制御装置１３では、Ａ−１のカップ受け１に供給するビン１０を選択し、このビン１０に接続されている飲料供給配管１１の電磁開閉弁１２を開にする開弁信号を送信して開弁する。ビン１０は加圧されているので、ビン１０内の焼酎が飲料供給配管１１を通ってカップ受け１の注入口からカップ４に注入される。注入量はタイマーにより制御される。所定量の焼酎がコップ４に注入されると、制御装置の停止信号により電磁開閉弁１２は閉弁する。こうして、カップに選択された飲料が注入される。
【００２０】
ビン１０を交換する場合は、窒素ガス分配配管９の電磁開閉弁を閉の状態にして窒素ガスの供給を停止させ、飲料供給配管１１の電磁開閉弁１２はすべて閉の状態にし、窒素ガス分配配管９及び飲料供給配管１１を栓とともにビン１０から外した後、新しいビン１０と交換し、窒素ガス分配配管９及び飲料供給配管１１を挿入後、栓をして密閉する。
【図面の簡単な説明】
【００２１】
【図１】本考案の飲料自動販売機の正面図である。
【図２】本考案の飲料自動販売機の飲料供給系統図である。
【符号の説明】
【００２２】
１：カップ受け
２：扉
３：注入用スイッチ
４：カップ
５：カップ取出口
６：お金の投入口
７：釣り銭取出口
８：窒素ガスボンベ
９：窒素ガス分配配管
９ａ：電磁開閉弁
１０：ビン
１１：飲料供給配管
１２：電磁開閉弁
１３：制御装置
【図１】
0003126202.tif 000003
【図２】
0003126202.tif 000004